(57)【要約】【課題】文字認識処理装置において、手書き入力による学習効果を損なうことなく、また文字認識性能が高くない場合にも、ユーザ所望の文字を効率的に認識する。【解決手段】タッチパネル１６（１６ｔ）の手書き文字入力領域１６Ｌ，１６Ｒにおいて、ユーザ所望の文字（例えば「語」）を手書き入力すると、認識データベースに基づき照合認識された認識候補文字群のうちの第１の認識候補文字（例えば「誤」）が認識文字表示領域１６Ｎおよび前記手書き文字入力領域１６Ｌ，１６Ｒに表示される。そして、前記手書き文字入力領域１６Ｌ，１６Ｒに表示された認識文字「誤」について、所望の文字「語」と一致している構成要素「言」ａを選択してタッチすると、前記認識候補文字群のうち当該選択構成要素「言」ａを固定認識部分として含む認識候補文字だけが絞り込まれて訂正候補文字（１６ＴＫ）として表示される。【選択図】      図５
2010122966.tif 000002
【特許請求の範囲】
【請求項１】
ユーザ操作に応じて手書きの文字を入力する手書き文字入力手段と、
この手書き文字入力手段により入力された手書きの文字を文字認識する文字認識手段と、
この文字認識手段による文字認識により得られた認識候補の文字を表示する認識文字表示手段と、
この認識文字表示手段により表示された認識候補の文字の部分をユーザ操作に応じて指定する文字部分指定手段と、
前記文字認識手段による文字認識により得られた認識候補の文字のうち、前記文字部分指定手段により指定された文字の部分を含む文字を絞り込んで表示する認識文字絞り込み表示手段と、
を備えたことを特徴とする文字認識処理装置。
【請求項２】
ユーザ操作に応じて手書きの文字を入力する手書き文字入力手段と、
この手書き文字入力手段により入力された手書きの文字を文字認識する文字認識手段と、
この文字認識手段による文字認識により得られた認識候補の文字を表示する認識文字表示手段と、
この認識文字表示手段により表示された認識候補の文字の部分をユーザ操作に応じて指定する文字部分指定手段と、
ユーザ操作に応じて手書きの文字を再入力する手書き文字再入力手段と、
前記文字認識手段による文字認識により得られた認識候補の文字のうち、前記文字部分指定手段により指定された文字の部分を含む文字を絞り込み、この絞り込まれた文字の中から前記手書き文字再入力手段により再入力された手書きの文字を文字認識する再文字認識手段と、
を備えたことを特徴とする文字認識処理装置。
【請求項３】
前記文字部分指定手段は、前記認識文字表示手段により表示された認識候補の文字の複数の部分をユーザ操作に応じて指定する、
ことを特徴とする請求項１または請求項２に記載の文字認識処理装置。
【請求項４】
前記文字部分指定手段により前記表示された認識候補の文字の部分がユーザ操作に応じて指定されるとともに、当該指定された文字の部分と追加の部分との位置関係を指定する位置関係指定手段を備え、
前記再文字認識手段は、前記文字認識手段による文字認識により得られた認識候補の文字のうち、前記文字部分指定手段により指定された文字の部分を含む文字を絞り込み、この絞り込まれた文字の中から、前記文字部分指定手段により指定された文字の部分に、前記位置関係指定手段により指定された位置関係に応じて前記手書き文字再入力手段により再入力された手書きの文字を前記追加の部分として合わせた文字について文字認識する、
ことを特徴とする請求項２に記載の文字認識処理装置。
【請求項５】
手書き入力部を備えたコンピュータを制御するためのプログラムであって、
前記コンピュータを、
前記手書き入力部からユーザ操作に応じた手書きの文字を入力する手書き文字入力手段、
この手書き文字入力手段により入力された手書きの文字を文字認識する文字認識手段、
この文字認識手段による文字認識により得られた認識候補の文字を前記手書き入力部に表示させる認識文字表示制御手段、
この認識文字表示制御手段により表示された認識候補の文字の部分をユーザ操作に応じて指定する文字部分指定手段、
前記文字認識手段による文字認識により得られた認識候補の文字のうち、前記文字部分指定手段により指定された文字の部分を含む文字を絞り込み前記手書き入力部に表示させる認識文字絞り込み表示制御手段、
として機能させるようにしたコンピュータ読み込み可能なプログラム。
【発明の詳細な説明】
【技術分野】
【０００１】
本発明は、手書きで入力された文字を活字として認識するための文字認識処理装置およびプログラムに関する。
【背景技術】
【０００２】
近年、紙の辞書を電子データとして記憶装置に記憶させ、ユーザが容易に辞書引きすることのできる電子辞書が広く実用されている。この電子辞書によれば、キー入力された文字に一致する見出し語を検索して当該見出し語に対応する説明情報を表示させ、ユーザ所望の言葉の意味内容などを調べることができる。
【０００３】
そして最近の電子辞書では、キー入力に代えて、手書きで入力した文字を文字認識させることで、この認識文字から見出し語を検索することが可能となっている。
【０００４】
しかしながら、このような手書き入力された文字を文字認識する従来の文字認識装置において、手書き入力された文字が、ユーザ所望の文字とは異なる文字として認識されてしまった場合には、その認識文字を削除した後に、改めて所望の文字を手書き入力しなければならず非常に面倒であった。そしてその面倒は、特に漢字のような一文字の画数が多く複雑な文字を入力する場合に顕著であった。
【０００５】
そこで、入力したい漢字の部首等、一部の構成要素のみを手書き入力し、これから認識された当該構成要素を含む漢字を一覧表示することで、認識候補文字を絞り込むようにした手書き文字入力方法が考えられている（例えば、特許文献１参照。）。これによれば、文字全体を手書き入力する必要がないのでユーザ作業の効率化が図れ、さらに漢字の一部しか知らなくても所望の文字を入力できるものである。
【特許文献１】特開平０６−３４８６８７号公報
【発明の開示】
【発明が解決しようとする課題】
【０００６】
前記従来の手書き文字入力方法では、文字全体を手書き入力する必要がないことで、ユーザ作業の効率化は図れるものの、文字全体を手書きで入力することによる学習効果が薄れてしまうという問題があった。また、装置の文字認識性能が高くない場合には、入力したい漢字の一部の構成要素のみを手書き入力しても、所望の構成要素として認識されない問題もある。
【０００７】
本発明は、このような課題に鑑みなされたもので、手書き入力による学習効果を損なうことなく、また文字認識性能が高くない場合にも、ユーザ所望の文字を効率的に認識することが可能になる文字認識処理装置およびプログラムを提供することを目的とする。
【課題を解決するための手段】
【０００８】
請求項１に記載の文字認識処理装置は、ユーザ操作に応じて手書きの文字を入力する手書き文字入力手段と、この手書き文字入力手段により入力された手書きの文字を文字認識する文字認識手段と、この文字認識手段による文字認識により得られた認識候補の文字を表示する認識文字表示手段と、この認識文字表示手段により表示された認識候補の文字の部分をユーザ操作に応じて指定する文字部分指定手段と、前記文字認識手段による文字認識により得られた認識候補の文字のうち、前記文字部分指定手段により指定された文字の部分を含む文字を絞り込んで表示する認識文字絞り込み表示手段と、を備えたことを特徴としている。
【０００９】
請求項２に記載の文字認識処理装置は、ユーザ操作に応じて手書きの文字を入力する手書き文字入力手段と、この手書き文字入力手段により入力された手書きの文字を文字認識する文字認識手段と、この文字認識手段による文字認識により得られた認識候補の文字を表示する認識文字表示手段と、この認識文字表示手段により表示された認識候補の文字の部分をユーザ操作に応じて指定する文字部分指定手段と、ユーザ操作に応じて手書きの文字を再入力する手書き文字再入力手段と、前記文字認識手段による文字認識により得られた認識候補の文字のうち、前記文字部分指定手段により指定された文字の部分を含む文字を絞り込み、この絞り込まれた文字の中から前記手書き文字再入力手段により再入力された手書きの文字を文字認識する再文字認識手段と、を備えたことを特徴としている。
【００１０】
請求項３に記載の文字認識処理装置は、前記請求項１または請求項２に記載の文字認識処理装置において、前記文字部分指定手段は、前記認識文字表示手段により表示された認識候補の文字の複数の部分をユーザ操作に応じて指定する、ことを特徴としている。
【００１１】
請求項４に記載の文字認識処理装置は、前記請求項２に記載の文字認識処理装置において、前記文字部分指定手段により前記表示された認識候補の文字の部分がユーザ操作に応じて指定されるとともに、当該指定された文字の部分と追加の部分との位置関係を指定する位置関係指定手段を備え、前記再文字認識手段は、前記文字認識手段による文字認識により得られた認識候補の文字のうち、前記文字部分指定手段により指定された文字の部分を含む文字を絞り込み、この絞り込まれた文字の中から、前記文字部分指定手段により指定された文字の部分に、前記位置関係指定手段により指定された位置関係に応じて前記手書き文字再入力手段により再入力された手書きの文字を前記追加の部分として合わせた文字について文字認識する、ことを特徴としている。
【００１２】
請求項５に記載のプログラムは、手書き入力部を備えたコンピュータを制御するためのプログラムであって、前記コンピュータを、前記手書き入力部からユーザ操作に応じた手書きの文字を入力する手書き文字入力手段、この手書き文字入力手段により入力された手書きの文字を文字認識する文字認識手段、この文字認識手段による文字認識により得られた認識候補の文字を前記手書き入力部に表示させる認識文字表示制御手段、この認識文字表示制御手段により表示された認識候補の文字の部分をユーザ操作に応じて指定する文字部分指定手段、前記文字認識手段による文字認識により得られた認識候補の文字のうち、前記文字部分指定手段により指定された文字の部分を含む文字を絞り込み前記手書き入力部に表示させる認識文字絞り込み表示制御手段、として機能させることを特徴としている。
【発明の効果】
【００１３】
本発明によれば、手書き入力による学習効果を損なうことなく、また文字認識性能が高くない場合にも、ユーザ所望の文字を効率的に認識することが可能になる文字認識処理装置およびプログラムを提供できる。
【発明を実施するための最良の形態】
【００１４】
以下図面により本発明の実施の形態について説明する。
【００１５】
図１は、本発明の文字認識処理装置の実施形態に係る手書き入力機能を備えた電子辞書装置１０の外観構成を示す図である。
【００１６】
文字認識処理装置は、以下に説明する手書き入力機能を備えた電子辞書装置１０に搭載されて構成されるか、手書き入力機能を備えたＰＤＡ(personal digital assistants)、ＰＣ(personal computer)、携帯電話、電子ブック、携帯ゲーム機などに搭載されて構成される。
【００１７】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定／機能キー１４ｂ、「訳／決定」キー１４ｃ、カーソルキー１４ｄ、「認識」キー１４ｅ、スピーカ１５Ｌ，１５Ｒなどを備えた入力部１４、およびタッチパネル１６が備えられる。
【００１８】
このタッチパネル１６は、ユーザがペンや指等でタッチした位置を検出するタッチ位置検出装置と表示装置が一体となった構造であり、入力部１４の中央手前側において例えば２５６×６４ドットの液晶表示画面に透明タブレット１６ｔを重ねて構成される。このタッチパネル１６の入力領域は、手書き文字を文字認識する処理の実行に伴い必要に応じて、手書き文字を入力するための手書き文字入力領域１６Ｌ，１６Ｒ、または認識された文字（認識文字）に対する訂正候補の文字を一覧表示して選択させるための訂正候補文字領域１６ＴＫに切り替えられる（図５参照）。
【００１９】
そして、前記タッチパネル１６が手書き文字入力領域１６Ｌ，１６Ｒに切り替えられた状態での手書き入力に伴う軌跡は、その液晶表示画面に表示される。
【００２０】
また蓋体ケース１２の表面には、そのほぼ全面を対象に例えば４８０×３２０ドットのバックライト付きの液晶表示部１７が設けられる。
【００２１】
図２は、前記手書き入力機能を備えた電子辞書装置１０の電子回路の構成を示すブロック図である。
【００２２】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２３】
ＣＰＵ２１は、主記憶領域（フラッシュメモリ）２２内に予め記憶された装置制御プログラム２２ａ、あるいはＲＯＭカードなどの外部記憶媒体２３から記憶媒体読み書き部２４を介して前記主記憶領域２２に読み込まれた装置制御プログラム２２ａ、あるいはインターネットＮ上のＷｅｂサーバ（この場合はプログラムサーバ）３０から通信制御部２５を介して前記主記憶領域２２に読み込まれた装置制御プログラム２２ａに応じて、作業領域（ＲＡＭ）２６に各種の作業データを格納し回路各部の動作を制御する。
【００２４】
前記主記憶領域２２に記憶された装置制御プログラム２２ａは、前記入力部１４からのユーザ操作に応じた入力信号、あるいは通信制御部２５を介して接続されるインターネットＮ上の各Ｗｅｂサーバ３０…との通信信号、あるいは記憶媒体読み書き部２４を介して外部接続されるＥＥＰＲＯＭ，ＲＡＭ，ＲＯＭなどのメモリ・カード（記憶媒体）２３との接続通信信号に応じて起動される。
【００２５】
前記ＣＰＵ２１には、前記主記憶領域２２、記憶媒体読み書き部２４、通信制御部２５、作業領域２６、入力部１４が接続される他に、前記表示部１７などが接続される。
【００２６】
前記装置制御プログラム２２ａとしては、当該電子辞書装置１０の全体の動作を司るシステムプログラムや通信制御部２５を介してインターネットＮ上の各Ｗｅｂサーバ３０…や図示しないユーザＰＣ(Personal Computer)などとデータ通信するための通信プログラムが記憶される他に、手書き入力された文字の文字認識処理プログラム、入力された検索文字列に応じた見出し語検索処理プログラムや選択見出し語に対応した各種説明情報（訳語・意味内容・例文など）の読み出し表示処理プログラムなど、各種の処理プログラムが記憶される。
【００２７】
前記装置制御プログラム２２ａとして記憶された見出し語検索処理プログラムや各種説明情報の読み出し表示処理プログラムは、主記憶領域２２に記憶される辞書データベース２２ｂに基づき実行され、また、文字認識処理プログラムは、同主記憶領域２２に記憶される認識データベース２２ｃに基づき実行される。
【００２８】
前記辞書データベース２２ｂが有する複数種類の辞書コンテンツ２２ｂ１，２２ｂ２，…としては、「英和辞典」「和英辞典」「国語辞典」「漢字辞典」「四字熟語辞典」「百科事典」など、種類の異なる辞書データが予め、あるいはダウンロードされて複数辞書記憶される。
【００２９】
各辞書コンテンツ２２ｂ１，２２ｂ２，…は、それぞれの言語に応じた所定の順番で配列された見出し語ＷＯ、各見出し語ＷＯに対応付けられた当該見出し語の訳語・意味内容・例文などの説明情報ＤＩなどを有する。
【００３０】
前記認識データベース２２ｃには、前記辞書データベース２２ｂに記憶された全ての漢字について、当該各漢字のキャラクタパターンとその漢字を構成する構成要素パターンとを対応付けたデータが記憶される。
【００３１】
作業領域２６は、表示部１７の表示画面に対応した表示データの記憶領域、辞書検索処理された見出し語やその説明情報の記憶領域、手書き文字の認識処理に必要な記憶領域など、前記装置制御プログラム２２ａに従いＣＰＵ２１に入出力される種々のデータが必要に応じて記憶される種々の記憶領域を有する。
【００３２】
そして、前記作業領域２６内の手書き文字の認識処理に必要な記憶領域としては、認識候補文字群メモリ２６ａ、固定認識部分メモリ２６ｂ、追加入力部分設置位置メモリ２６ｃなどが備えられる。
【００３３】
認識候補文字群メモリ２６ａには、タッチパネル１６（１６ｔ）により入力された手書きの文字データと、前記認識データベース２２ｃに記憶された各漢字のキャラクタパターンとの照合により文字認識された文字が、その照合度（適合度）の高い順に例えば３０字まで認識候補文字群として記憶される。
【００３４】
固定認識部分メモリ２６ｂには、前記認識候補文字群からユーザにより選択表示された訂正候補文字について、ユーザ所望の文字と一致している部位（部分）が指定された際に、当該訂正候補文字の指定部位（部分）が、文字認識訂正のための固定認識部分として記憶される。
【００３５】
追加入力部分設置位置メモリ２６ｃには、前記ユーザ所望の文字と一部一致している固定認識部分をタッチパネル１６（１６ｔ）に表示させ、残りの部分を追加で手書き入力させ再度文字認識させる際に、当該残りの部分が前記固定認識部分の上下左右何れの位置に追加して設置されるのかを示す情報（追加入力部分設置位置）が、前記固定認識部分の表示と共にタッチパネル１６（１６ｔ）に表示させた設置位置指定ボタンｕ（上），ｄ（下），ｌ（左），ｒ（右）（図８参照）に対するユーザ操作に応じて記憶される。
【００３６】
次に、前記構成の手書き入力機能を備えた電子辞書装置１０における手書き文字の認識処理について説明する。
【００３７】
この電子辞書装置１０における手書き文字認識処理には、手書き入力した文字を文字認識して得られた認識候補文字群（２６ａ）に基づき、所望の文字との一致部分を固定認識部分（２６ｂ）として指定しながら当該所望の文字を選択的に絞り込んで入力する処理モード＜認識文字再入力モード（ＯＦＦ）＞と、所望の文字との一致部分を固定認識部分（２６ｂ）として指定すると共に、当該所望の文字の全体または前記固定認識部分（２６ａ）以外の残りの部分を追加で再度手書き入力し文字認識させ当該所望の文字を絞り込んで入力する処理モード＜認識文字再入力モード（ＯＮ）＞がある。そして、前記＜認識文字再入力モード＞の（ＯＦＦ／ＯＮ）は、手書き文字の認識処理に先立ちユーザ操作に応じて予め設定される。
【００３８】
図３は、前記手書き入力機能を備えた電子辞書装置１０における手書き文字認識処理（その１）を示すフローチャートである。
【００３９】
図４は、前記手書き入力機能を備えた電子辞書装置１０における手書き文字認識処理（その２）を示すフローチャートである。
【００４０】
図５は、前記手書き入力機能を備えた電子辞書装置１０における手書き文字認識処理に伴う＜認識文字再入力モード（ＯＦＦ）＞でのタッチパネル１６の操作表示状態を示す図である。
【００４１】
辞書データベース２２ｂに記憶されているユーザ所望の辞書コンテンツ２２ｂｎが指定され、辞書検索モードが起動されると（ステップＳ１）、検索キーワードの入力画面（図示せず）が表示部１７に表示されると共に、タッチパネル１６（１６ｔ）に手書き文字入力領域１６Ｌ，１６Ｒが表示され、手書き文字の入力待ちの状態になる（ステップＳ２）。
【００４２】
この際、タッチパネル１６（１６ｔ）は、図５（Ａ）に示すように、横に３等分された中央の領域と右側の領域とが、手書き文字の左入力領域１６Ｌと右入力領域１６Ｒとなり、左側の領域の上段が認識文字表示領域１６Ｎとなる。この認識文字表示領域１６Ｎには、左入力領域１６Ｌまたは右入力領域１６Ｒに入力された手書き文字の文字認識により認識データベース２２ｃから得られた認識候補文字群（２６ａ）のうちの第１の認識候補文字（最も照合度（適合度）の高い文字である。以下同じ。）が３文字分表示される。
【００４３】
前記認識文字表示領域１６Ｎの下段には、当該認識文字表示領域１６Ｎに３文字を超える手書き文字にそれぞれ対応する第１の認識候補文字が配列表示される場合に、隠れている認識文字をスクロールして表示させるための「←」ボタンＣＬ，「→」ボタンＣＲ、前記手書き文字入力領域１６Ｌ，１６Ｒに手書き入力されて表示された手書き文字を消去して書き直しを指示するための「書き直し」ボタンＥが表示される。
【００４４】
例えばユーザ所望の文字「語」を入力するために、図５（Ａ）に示すように、タッチパネル１６（１６ｔ）の左入力領域１６Ｌに手書き文字「語」を入力表示させた状態で（ステップＳ２）、「認識」キー１４ｅが操作されるか、または次の文字の手書き入力が開始されると（ステップＳ３（ＹＥＳ））、当該手書き入力文字「語」が認識データベース２２ｃに記憶されている各漢字のキャラクタパターンと照合され文字認識される（ステップＳ４）。
【００４５】
すると、前記認識データベース２２ｃから取得された照合度（適合度）の高い順に例えば３０文字分の認識候補文字が認識候補文字群メモリ２６ａに記憶され、そのうち第１の認識候補文字（例えば「誤」）が認識文字表示領域１６Ｎに表示される（ステップＳ５）。
【００４６】
この認識文字表示領域１６Ｎに表示された認識文字「誤」が誤った認識文字であることで、当該認識文字「誤」がペンＰによりタッチされると（ステップＳ６（ＹＥＳ））、前記認識候補文字群メモリ２６ａに記憶された３０文字分の認識候補文字のうち、照合度（適合度）の高い順に１０文字の認識候補文字が抽出され、図５（Ｂ）に示すように、訂正候補文字領域１６ＴＫとして一覧表示される（ステップＳ７）。
【００４７】
この訂正候補文字領域１６ＴＫの表示状態において、ユーザ所望の文字「語」に一番近い訂正候補文字であるとして、例えば「誤」が選択されてペンタッチされ、反転表示Ｈにより識別表示されると（ステップＳ８（ＹＥＳ））、図５（Ｃ）に示すように、当該選択された訂正候補文字「誤」が、前記認識文字表示領域１６Ｎに上書きされて表示されると共に、前記左入力領域１６Ｌに拡大されて表示される（ステップＳ９）。
【００４８】
この際、左入力領域１６Ｌに拡大表示された訂正候補文字「誤」は、認識データベース２２ｃにおいて対応付けられて記憶されている当該訂正候補文字「誤」を構成する各構成要素ａ，ｂ，ｃに点線で仕切られて表示される。
【００４９】
ここで、前記左入力領域１６Ｌに拡大表示された訂正候補文字「誤」について、ユーザ所望の文字「語」と一致している言偏の構成要素ａが固定認識部分としてペンタッチされると（ステップＳ１０）、当該言偏の構成要素ａが反転表示Ｈにより識別表示されると共に、固定認識部分メモリ２６ｂに記憶される（ステップＳ１１）。
【００５０】
すると現在、認識文字再入力モードが“ＯＮ”であるか“ＯＦＦ”であるかが判断され、＜認識文字再入力モード（ＯＦＦ）＞であると判断されると（ステップＳ１２（ＮＯ））、前記認識候補文字群メモリ２６ａに記憶された３０文字分の認識候補文字のうち、照合度（適合度）の高い順に、前記固定認識部分メモリ２６ｂに記憶された固定認識部分（この場合は、言偏の構成要素ａ）を含んでいる１０文字の認識候補文字が絞り込まれて抽出され、図５（Ｄ）に示すように、訂正候補文字領域１６ＴＫとして一覧表示される（ステップＳ１３）。
【００５１】
この固定認識部分を含んだ訂正候補文字領域１６ＴＫの表示状態において、ユーザ所望の文字「語」が選択されてペンタッチされ、反転表示Ｈにより識別表示されると（ステップＳ８（ＹＥＳ））、図５（Ｅ）に示すように、当該選択された訂正候補文字「語」が、前記認識文字表示領域１６Ｎに上書きされて表示されると共に、左入力領域１６Ｌに拡大されて表示される（ステップＳ９）。
【００５２】
この場合にも、前記左入力領域１６Ｌに拡大表示された訂正候補文字「語」は、認識データベース２２ｃにおいて対応付けられて記憶されている当該訂正候補文字「語」を構成する各構成要素ａ，ｂ，ｃに点線で仕切られて表示される。
【００５３】
こうして、ユーザ所望の文字「語」が認識文字表示領域１６Ｎおよび左入力領域１６Ｌに表示された状態で、図５（Ｅ）に示すように、右入力領域１６Ｒにて次の文字の手書き入力を開始するか、または「認識」キー１４ｅが操作されると、認識文字表示領域１６Ｎに表示された所望の文字「語」が確定され、前記表示部１７に表示させた検索キーワードの入力画面（図示せず）に表示される（ステップＳ１０（ＮＯ）→Ｓ６（ＮＯ）→Ｓ１４）。
【００５４】
図６は、前記手書き入力機能を備えた電子辞書装置１０における手書き文字認識処理に伴う＜認識文字再入力モード（ＯＮ）＞でのタッチパネル１６の操作表示状態（その１）を示す図である。
【００５５】
前記図５（Ａ）〜（Ｃ）で示した場合と同様に、図６（Ａ）〜（Ｃ）に示すように、先ず、手書き入力されたユーザ所望の文字「語」について、誤った認識文字「誤」が認識文字表示領域１６Ｎに表示された状態で（ステップＳ１〜Ｓ５）、当該誤った認識文字「誤」がペンＰによりタッチされると（ステップＳ６（ＹＥＳ））、前記認識候補文字群メモリ２６ａに記憶された３０文字分の認識候補文字のうち、照合度（適合度）の高い順に１０文字の認識候補文字が抽出され、訂正候補文字領域１６ＴＫとして一覧表示される（ステップＳ７）。
【００５６】
この訂正候補文字領域１６ＴＫの表示状態において、ユーザ所望の文字「語」に一番近い訂正候補文字であるとして、例えば「誤」が選択されてペンタッチされ、反転表示Ｈにより識別表示されると（ステップＳ８（ＹＥＳ））、図６（Ｃ）に示すように、当該選択された訂正候補文字「誤」が、前記認識文字表示領域１６Ｎに上書きされて表示されると共に、前記左入力領域１６Ｌに拡大されて表示される（ステップＳ９）。
【００５７】
ここで、前記左入力領域１６Ｌに拡大表示された訂正候補文字「誤」について、ユーザ所望の文字「語」と一致している言偏の構成要素ａが固定認識部分としてペンタッチされると（ステップＳ１０）、当該言偏の構成要素ａが反転表示Ｈにより識別表示されると共に、固定認識部分メモリ２６ｂに記憶される（ステップＳ１１）。
【００５８】
そして現在、認識文字再入力モードが“ＯＮ”であるか“ＯＦＦ”であるかが判断され、＜認識文字再入力モード（ＯＮ）＞であると判断されると（ステップＳ１２（ＹＥＳ））、図６（Ｄ）に示すように、前記左入力領域１６Ｌにおいてペンタッチされた固定認識部分（この場合は言偏の構成要素ａ）のみが残されて表示されると共に、右入力領域１６Ｒが空欄とされて手書き文字の受け付け待ちの状態になる（ステップＳ１５）。
【００５９】
ここで、同図６（Ｄ）に示すように、タッチパネル１６（１６ｔ）の右入力領域１６Ｒにおいて、ユーザ所望の文字「語」が再度手書き入力されて表示され（ステップＳ１６）、「認識」キー１４ｅが操作されると（ステップＳ１７（ＹＥＳ））、右入力領域１６Ｒに対する文字入力であると判断される（ステップＳ１８（ＹＥＳ））。
【００６０】
すると、認識データベース２２ｃに記憶されている各漢字のうち、前記固定認識部分（この場合は言偏の構成要素ａ）を含む文字群のみを対象に、前記右入力領域１６Ｒに再度手書き入力されたユーザ所望の文字「語」が照合され文字認識される（ステップＳ１９）。
【００６１】
すると、前記文字認識された照合度（適合度）の高い順に例えば３０文字分の認識候補文字が認識候補文字群メモリ２６ａに記憶され、図６（Ｅ）に示すように、そのうち第１の認識候補文字（例えば「語」）が認識文字表示領域１６Ｎに表示される（ステップＳ５）。
【００６２】
こうしたユーザ所望の文字「語」の再入力により、前記固定認識部分（言偏の構成要素ａ）を含む認識用の文字群のみから認識された正しい認識文字「語」が、認識文字表示領域１６Ｎに表示された状態で、左入力領域１６Ｌにて次の文字の手書き入力を開始するか、または「認識」キー１４ｅが操作されると、認識文字表示領域１６Ｎに表示された所望の文字「語」が確定され、前記表示部１７に表示させた検索キーワードの入力画面（図示せず）に表示される（ステップＳ６（ＮＯ）→Ｓ１４）。
【００６３】
図７は、前記手書き入力機能を備えた電子辞書装置１０における手書き文字認識処理に伴う＜認識文字再入力モード（ＯＮ）＞でのタッチパネル１６の操作表示状態（その２）を示す図である。
【００６４】
例えば前記図６（Ｄ）で示した場合と同様に、タッチパネル１６（１６ｔ）の左入力領域１６Ｌに固定認識部分（言偏の構成要素ａ）のみを表示させ（ステップＳ１５）、右入力領域１６Ｒにユーザ所望の文字「語」を再度手書き入力し（ステップＳ１６）、文字認識させた際に（ステップＳ１７→Ｓ１８→Ｓ１９）、図７（Ａ）は、誤った認識文字「諮」が認識文字表示領域１６Ｎに表示された状態を示している（ステップＳ５）。
【００６５】
ここで、前記認識文字表示領域１６Ｎに表示された誤った認識文字「諮」がペンＰによりタッチされると（ステップＳ６（ＹＥＳ））、前記ステップＳ１９にて照合文字認識されて認識候補文字群メモリ２６ａに記憶された認識候補文字群のうち、照合度（適合度）の高い順に１０文字の認識候補文字が抽出され、訂正候補文字領域１６ＴＫとして一覧表示される（ステップＳ７）。
【００６６】
この訂正候補文字領域１６ＴＫの表示状態において、ユーザ所望の文字「語」に一番近い訂正候補文字であるとして、例えば「諮」が選択されてペンタッチされると（ステップＳ８（ＹＥＳ））、図７（Ｂ）に示すように、当該選択された訂正候補文字「諮」が、前記認識文字表示領域１６Ｎに上書きされて表示されると共に、前記左入力領域１６Ｌに拡大されて表示される（ステップＳ９）。
【００６７】
ここで、前記左入力領域１６Ｌに拡大表示された訂正候補文字「諮」について、ユーザ所望の文字「語」と一致して既に固定認識部分として記憶されている言偏の構成要素ａに加えて、「口」状の構成要素ｃが固定認識部分としてペンタッチされると（ステップＳ１０）、当該言偏の構成要素ａに追加して「口」状の構成要素ｃも反転表示Ｈにより識別表示されると共に、固定認識部分メモリ２６ｂに追加記憶される（ステップＳ１１）。
【００６８】
そして現在、＜認識文字再入力モード（ＯＮ）＞であると判断されると（ステップＳ１２（ＹＥＳ））、図７（Ｃ）に示すように、前記左入力領域１６Ｌにおいて選択された固定認識部分（この場合は言偏の構成要素ａおよび「口」状の構成要素ｃ）のみが残されて表示されると共に、右入力領域１６Ｒが空欄とされて手書き文字の受け付け待ちの状態になる（ステップＳ１５）。
【００６９】
ここで、同図７（Ｃ）に示すように、タッチパネル１６（１６ｔ）の右入力領域１６Ｒにおいて、ユーザ所望の文字「語」が再度手書き入力されて表示され（ステップＳ１６）、「認識」キー１４ｅが操作されると（ステップＳ１７（ＹＥＳ））、右入力領域１６Ｒに対する文字入力であると判断される（ステップＳ１８（ＹＥＳ））。
【００７０】
すると、認識データベース２２ｃに記憶されている各漢字のうち、前記固定認識部分（この場合は言偏の構成要素ａおよび「口」状の構成要素ｃ）を含む文字群のみを対象に、前記右入力領域１６Ｒに再度手書き入力されたユーザ所望の文字「語」が照合され文字認識される（ステップＳ１９）。
【００７１】
すると、前記文字認識された照合度（適合度）の高い順に例えば３０文字分の認識候補文字が認識候補文字群メモリ２６ａに記憶され、同図７（Ｃ）に示すように、そのうち第１の認識候補文字（例えば「語」）が認識文字表示領域１６Ｎに表示される（ステップＳ５）。
【００７２】
こうしたユーザ所望の文字「語」の再入力により、前記固定認識部分（言偏の構成要素ａおよび「口」状の構成要素ｃ）を含む認識用の文字群のみから認識された正しい認識文字「語」が、認識文字表示領域１６Ｎに表示された状態で、左入力領域１６Ｌにて次の文字の手書き入力を開始するか、または「認識」キー１４ｅが操作されると、認識文字表示領域１６Ｎに表示された所望の文字「語」が確定され、前記表示部１７に表示させた検索キーワードの入力画面（図示せず）に表示される（ステップＳ６（ＮＯ）→Ｓ１４）。
【００７３】
図８は、前記手書き入力機能を備えた電子辞書装置１０における手書き文字認識処理に伴う＜認識文字再入力モード（ＯＮ）＞でのタッチパネル１６の操作表示状態（その３）を示す図である。
【００７４】
図８（Ａ）に示すように、左入力領域１６Ｌに固定認識部分（この場合は言偏の構成要素ａ）のみ表示され、右入力領域１６Ｒを空欄にした、当該手書き文字入力領域１６Ｌ，１６Ｒへの入力待ち状態において（ステップＳ１５）、左入力領域１６Ｌで、所望の文字「語」から固定認識部分（言偏の構成要素ａ）を除いた残りの部分「吾」を手書き入力し（ステップＳ１６）、「認識」キー１４ｅが操作されると（ステップＳ１７（ＹＥＳ））、左入力領域１６Ｌに対する追加の手書き入力であると判断される（ステップＳ２０（ＹＥＳ））。
【００７５】
すると、認識データベース２２ｃに記憶されている各漢字のうち、前記固定認識部分（この場合は言偏の部首ａ）を含む文字群のみを対象に、当該固定認識部分（言偏の構成要素ａ）と追加の手書き入力部分「吾」とを合わせた文字「語」が照合され文字認識される（ステップＳ１９）。
【００７６】
すると、前記文字認識された照合度（適合度）の高い順に例えば３０文字分の認識候補文字が認識候補文字群メモリ２６ａに記憶され、同図７（Ａ）に示すように、そのうち第１の認識候補文字「語」が認識文字表示領域１６Ｎに上書き表示される（ステップＳ５）。
【００７７】
こうしたユーザ所望の文字「語」について、その固定認識部分（言偏の構成要素ａ）に追加で手書き入力した部分「吾」を合わせて再度文字認識された正しい認識文字「語」が、認識文字表示領域１６Ｎに表示された状態で、右入力領域１６Ｒにて次の文字の手書き入力を開始するか、または「認識」キー１４ｅが操作されると、認識文字表示領域１６Ｎに表示された所望の文字「語」が確定され、前記表示部１７に表示させた検索キーワードの入力画面（図示せず）に表示される（ステップＳ６（ＮＯ）→Ｓ１４）。
【００７８】
一方、前記図６（Ａ）〜（Ｃ）で示した場合と同様に、先ず、手書き入力されたユーザ所望の文字「語」について、誤った認識文字「誤」が認識文字表示領域１６Ｎに表示された状態で（ステップＳ１〜Ｓ５）、当該誤った認識文字「誤」がペンＰによりタッチされると（ステップＳ６（ＹＥＳ））、前記認識候補文字群メモリ２６ａに記憶された３０文字分の認識候補文字のうち、照合度（適合度）の高い順に１０文字の認識候補文字が抽出され、訂正候補文字領域１６ＴＫとして一覧表示される（ステップＳ７）。
【００７９】
この訂正候補文字領域１６ＴＫの表示状態において、ユーザ所望の文字「語」に一番近い訂正候補文字であるとして、例えば「誤」が選択されてペンタッチされ、反転表示Ｈにより識別表示されると（ステップＳ８（ＹＥＳ））、図６（Ｃ）に示すように、当該選択された訂正候補文字「誤」が、前記認識文字表示領域１６Ｎに上書きされて表示されると共に、前記左入力領域１６Ｌに拡大されて表示される（ステップＳ９）。
【００８０】
ここで、前記左入力領域１６Ｌに拡大表示された訂正候補文字「誤」について、ユーザ所望の文字「語」と一致している言偏の構成要素ａが固定認識部分としてペンタッチされると（ステップＳ１０）、当該言偏の構成要素ａが反転表示Ｈにより識別表示されると共に、固定認識部分メモリ２６ｂに記憶される（ステップＳ１１）。
【００８１】
そして現在、＜認識文字再入力モード（ＯＮ）＞であると判断されると（ステップＳ１２（ＹＥＳ））、図８（Ｂ）に示すように、前記左入力領域１６Ｌにおいてペンタッチされた固定認識部分（この場合は言偏の構成要素ａ）のみが残されて表示されると共に、右入力領域１６Ｒが空欄とされて手書き文字の受け付け待ちの状態になる（ステップＳ１５）。
【００８２】
この際、左入力領域１６Ｌの上端部、下端部、左端部、右端部にはそれぞれ、当該左入力領域１６Ｌに表示させた固定認識部分（言偏の構成要素ａ）に対して、ユーザ所望の文字「語」の残りの部分「吾」が上下左右の何れの方向に追加設置されるのかを指定するための追加入力部分設置位置指定ボタンｕ，ｄ，ｌ，ｒが表示される。
【００８３】
ここで、ユーザ所望の文字「語」について、前記左入力領域１６Ｌに現在表示中の固定認識部分（言偏の構成要素ａ）に対し、残りの部分「吾」を追加すべき位置が右側であるとして、追加入力部分設置位置指定ボタンｒをタッチ操作により識別表示（Ｈ）させると（ステップＳ１６，Ｓ２２）、この識別表示（Ｈ）された追加入力部分の設置位置“右”の情報が追加入力部分設置位置メモリ２６ｃに記憶され設定される（ステップＳ２３）。
【００８４】
そして、図８（Ｃ）に示すように、右入力領域１６Ｒにおいて、前記左入力領域１６Ｌに表示されている固定認識部分（言偏の構成要素ａ）に対し追加すべき部分「吾」が手書き入力され（ステップＳ１６）、「認識」キー１４ｅが操作されると（ステップＳ１７（ＹＥＳ））、右入力領域１６Ｒに対する文字入力であると判断されると共に（ステップＳ１８（ＹＥＳ））、追加入力部分設置位置メモリ２６ｃにおいて追加入力部分設置位置の情報（この場合は“右”）が設定されていると判断される（ステップＳ２４（ＹＥＳ））。
【００８５】
すると、認識データベース２２ｃに記憶されている各漢字のうち、前記固定認識部分（この場合は言偏の構成要素ａ）を含む文字群のみを対象に、前記右入力領域１６Ｒに手書き入力された追加の部分「吾」を、前記追加入力部分設置位置メモリ２６ｃに設定された固定認識部分（言偏の構成要素ａ）の“右”に追加設置して合わせた文字「語」が照合され文字認識される（ステップＳ２５）。
【００８６】
すると、前記文字認識された照合度（適合度）の高い順に例えば３０文字分の認識候補文字が認識候補文字群メモリ２６ａに記憶され、同図８（Ｃ）に示すように、そのうち第１の認識候補文字（例えば「語」）が認識文字表示領域１６Ｎに表示される（ステップＳ５）。
【００８７】
こうした固定認識部分（言偏の構成要素ａ）に追加設置して合わせるべく、その設置位置“右”を指定すると共に、その追加部分「吾」を入力することにより、前記固定認識部分（言偏の構成要素ａ）を含む認識用の文字群のみから認識された正しい認識文字「語」が、認識文字表示領域１６Ｎに表示された状態で、左入力領域１６Ｌにて次の文字の手書き入力を開始するか、または「認識」キー１４ｅが操作されると、認識文字表示領域１６Ｎに表示された所望の文字「語」が確定され、前記表示部１７に表示させた検索キーワードの入力画面（図示せず）に表示される（ステップＳ６（ＮＯ）→Ｓ１４）。
【００８８】
なお、本実施形態においては、固定認識部分が指定された後に追加入力部分設置位置指定ボタンｕ，ｄ，ｌ，ｒが表示され、選択されるとしたが、このような実施形態に限定されず、例えば固定認識部分が指定される前に追加入力部分設置位置指定ボタンがｕ，ｄ，ｌ，ｒが選択可能であるとしても良い。
【００８９】
また、本実施形態においては、追加入力部分設置位置指定ボタンｕ，ｄ，ｌ，ｒにより追加入力される部分の設置位置を指定するとしたが、このような実施形態に限定されず、固定認識部分と追加入力部分の位置関係が指定されればよく、例えば固定認識部分の設置位置を指定するボタンを設けて、固定認識部分の設置位置を指定するとしても良い。
【００９０】
したがって、前記構成の電子辞書装置１０における手書き文字の認識機能によれば、タッチパネル１６（１６ｔ）の手書き文字入力領域１６Ｌ，１６Ｒにおいて、ユーザ所望の文字（例えば「語」）を手書き入力すると、認識データベース２２ｃに基づき照合認識された認識候補文字群（２６ａ）のうちの第１の認識候補文字（例えば「誤」）が認識文字表示領域１６Ｎおよび前記手書き文字入力領域１６Ｌ，１６Ｒに表示される。そして、前記手書き文字入力領域１６Ｌ，１６Ｒに表示された認識文字「誤」について、所望の文字「語」と一致している構成要素「言」ａを選択してタッチすると、前記認識候補文字群のうち当該選択構成要素「言」ａを固定認識部分として含む認識候補文字だけが絞り込まれて訂正候補文字（１６ＴＫ）として表示される。このため、手書き入力による学習効果を損なうことなく、また文字認識性能が高くない場合にも、ユーザ所望の文字を効率的に認識することが可能になる。
【００９１】
また、前記構成の電子辞書装置１０における手書き文字の認識機能によれば、タッチパネル１６（１６ｔ）の手書き文字入力領域１６Ｌ，１６Ｒにおいて、ユーザ所望の文字（例えば「語」）を手書き入力すると、認識データベース２２ｃに基づき照合認識された認識候補文字群（２６ａ）のうちの第１の認識候補文字（例えば「誤」）が認識文字表示領域１６Ｎおよび前記手書き文字入力領域１６Ｌ，１６Ｒに表示される。そして、前記手書き文字入力領域１６Ｌ，１６Ｒに表示された認識文字「誤」について、所望の文字「語」と一致している構成要素「言」ａを選択してタッチした後に、前記所望の文字「語」を再度手書き入力すると、前記認識候補文字群のうち当該構成要素「言」ａを固定認識部分として含む絞り込まれた文字群のみから、前記再入力された手書き文字「語」が再度照合認識され、第１の認識候補文字が前記認識文字表示領域１６Ｎに上書き表示される。このため、手書き入力による学習効果を損なうことなく、また文字認識性能が高くない場合にも、ユーザ所望の文字を効率的に認識することが可能になる。
【００９２】
また、前記構成の電子辞書装置１０における手書き文字の認識機能によれば、ユーザ所望の文字（例えば「語」）の手書き入力に応じて、前記手書き文字入力領域１６Ｌ，１６Ｒに認識表示された第１の認識候補文字（例えば「諮」）について、所望の文字「語」と一致している構成要素が複数ある場合（「言」ａと「口」ｃ）には、当該複数の構成要素を固定認識部分として選択タッチする。すると、前記認識候補文字群のうち当該複数の構成要素「言」「口」を固定認識部分として含むさらに絞り込まれた文字群だけが、前記訂正候補文字（１６ＴＫ）として表示される。あるいは同さらに絞り込まれた文字群だけから、前記再入力された手書き文字「語」を再度照合認識できる。このため、ユーザ所望の文字をより効率的に認識することが可能になる。
【００９３】
また、前記構成の電子辞書装置１０における手書き文字の認識機能によれば、前記手書き文字入力領域１６Ｌ，１６Ｒに表示された認識文字「誤」について、前記所望の文字「語」と一致している構成要素「言」ａを選択してタッチした後に、当該選択構成要素「言」に対する前記所望の文字「語」の残り部分「吾」の設置位置ｒ“右”を指定し、その残りの部分「吾」を追加で手書き入力する。すると、前記認識候補文字群のうち前記選択構成要素「言」ａを固定認識部分として含む絞り込まれた文字群のみから、当該固定認識部分「言」に対し前記追加で手書き入力された残りの部分「吾」を前記指定の設置位置ｒ“右”にて合わせた文字「語」が再度照合認識され、第１の認識候補文字が前記認識文字表示領域１６Ｎに上書き表示される。このため、手書き入力による学習効果を損なうことなく、また文字認識性能が高くない場合にも、ユーザ所望の文字を効率的に認識することが可能になる。
【００９４】
なお、前記実施形態において記載した手書き入力機能を備えた電子辞書装置１０による各処理の手法、すなわち、図３のフローチャートに示す手書き文字認識処理（その１）、図４のフローチャートに示す手書き文字認識処理（その２）などの各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、タッチパネル１６を有する電子装置（１０）のコンピュータは、この外部記憶媒体２３に記憶されたプログラムおよび文字認識データベース（２２ｃ）を記憶装置（２２）に読み込み、この読み込んだプログラムによって動作が制御されることにより、前記実施形態において説明した手書き文字の認識機能を実現し、前述した手法による同様の処理を実行することができる。
【００９５】
また、前記各手法を実現するためのプログラムおよび文字認識データベース（２２ｃ）は、プログラムコードの形態としてネットワークＮ上を伝送させることができ、このプログラムおよび文字認識データベース（２２ｃ）を、ネットワークＮに接続されたタッチパネル１６を有する電子装置（１０）のコンピュータに通信制御部２５によって取り込むことで、前述した手書き文字の認識機能を実現することもできる。
【００９６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００９７】
【図１】本発明の文字認識処理装置の実施形態に係る手書き入力機能を備えた電子辞書装置１０の外観構成を示す図。
【図２】前記手書き入力機能を備えた電子辞書装置１０の電子回路の構成を示すブロック図。
【図３】前記手書き入力機能を備えた電子辞書装置１０における手書き文字認識処理（その１）を示すフローチャート。
【図４】前記手書き入力機能を備えた電子辞書装置１０における手書き文字認識処理（その２）を示すフローチャート。
【図５】前記手書き入力機能を備えた電子辞書装置１０における手書き文字認識処理に伴う＜認識文字再入力モード（ＯＦＦ）＞でのタッチパネル１６の操作表示状態を示す図。
【図６】前記手書き入力機能を備えた電子辞書装置１０における手書き文字認識処理に伴う＜認識文字再入力モード（ＯＮ）＞でのタッチパネル１６の操作表示状態（その１）を示す図。
【図７】前記手書き入力機能を備えた電子辞書装置１０における手書き文字認識処理に伴う＜認識文字再入力モード（ＯＮ）＞でのタッチパネル１６の操作表示状態（その２）を示す図。
【図８】前記手書き入力機能を備えた電子辞書装置１０における手書き文字認識処理に伴う＜認識文字再入力モード（ＯＮ）＞でのタッチパネル１６の操作表示状態（その３）を示す図。
【符号の説明】
【００９８】
１０  …手書き入力機能を備えた電子辞書装置（文字認識処理装置）
１１  …本体ケース
１２  …蓋体ケース
１３  …ヒンジ部
１４  …入力部
１４ａ…文字入力キー
１４ｂ…辞書指定／機能キー
１４ｃ…「訳／決定」キー
１４ｄ…カーソルキー
１４ｅ…「認識」キー
１５Ｌ，１５Ｒ…スピーカ
１６  …タッチパネル
１６ｔ…透明タブレット
１６Ｌ，１６Ｒ…手書き文字入力領域
１６Ｎ…認識文字表示領域
１６ＴＫ…訂正候補文字領域
１７  …液晶表示部
２１  …ＣＰＵ
２２  …主記憶領域
２２ａ…装置制御プログラム
２２ｂ…辞書コンテンツ
２２ｃ…認識データベース
２３  …外部記憶媒体
２４  …記憶媒体読み書き部
２５  …通信制御部
２６  …作業領域
２６ａ…認識候補文字群メモリ
２６ｂ…固定認識部分メモリ
２６ｃ…追加入力部分設置位置メモリ
３０  …ＷＥＢサーバ
Ｎ  …通信ネットワーク
Ｐ  …ペン
Ｈ  …反転表示
ａ，ｂ，ｃ，…構成要素
ｕ，ｄ，ｌ，ｒ…追加部分の設置位置指定ボタン
【図１】
2010122966.tif 000003
【図２】
2010122966.tif 000004
【図３】
2010122966.tif 000005
【図４】
2010122966.tif 000006
【図５】
2010122966.tif 000007
【図６】
2010122966.tif 000008
【図７】
2010122966.tif 000009
【図８】
2010122966.tif 000010